【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】  光重合性組成物であって、少なくとも１種のエラストマーバインダと、少なくとも１種のモノマーと、活性輻射線に感受性を有する開始剤と、活性輻射線に感受性を有する少なくとも１種の光退色性化合物とを含むことを特徴とする光重合性組成物。
【請求項２】  前記光退色性化合物が熱的に安定であることを特徴とする請求項１に記載の光重合性組成物。
【請求項３】  前記光退色性化合物が、非置換または置換ナフチルビニルピリジン、非置換または置換スチリルキノリン、無水ジフェニルマレイン酸、これら化合物の異性体、これら化合物の誘導体、およびこれら化合物の組合せからなる群から選択されることを特徴とする請求項２に記載の光重合性組成物。
【請求項４】  前記光重合性組成物中の前記光退色性化合物の量が、約０．００１重量％から約１０重量％の範囲であることを特徴とする請求項１に記載の光重合性組成物。
【請求項５】  前記光退色性化合物の量が、約０．０１重量％から約５重量％の範囲であることを特徴とする請求項４に記載の光重合性組成物。
【請求項６】  前記光退色性化合物の量が、約０．０２重量％から約２重量％の範囲であることを特徴とする請求項５に記載の光重合性組成物。
【請求項７】  前記エラストマーバインダが、スチレン−ブタジエン−スチレンブロックコポリマー、またはスチレン−イソプレン−スチレンブロックコポリマーであることを特徴とする請求項１に記載の光重合性組成物。
【請求項８】  フレキソ印刷版の製造に用いる感光性印刷エレメントであって、支持体と、請求項１に記載の光重合性組成物を含む光重合性層とを含むことを特徴とする感受性印刷エレメント。
【請求項９】  感光性印刷エレメントの製造方法であって、少なくとも１種のエラストマーバインダと、少なくとも１種のモノマーと、活性輻射線に感受性を有する開始剤と、活性輻射線に感受性を有する少なくとも１種の光退色性化合物とを含む光重合性組成物を支持体に塗布して、支持体上に光重合性層を形成する工程を有することを特徴とする方法。
【請求項１０】  フレキソ印刷版の製造方法であって、（ａ）請求項８に記載の感光性印刷エレメントを活性輻射線にイメージ状に露光させて、その層の一部分を選択的に重合させる工程と、（ｂ）工程（ａ）で得たエレメントを処理してその層の未重合部分を除去し、フレキソ印刷版を作成する工程と有することを特徴とする方法。
【請求項１１】  フレキソ印刷版から作成される画像の解像度を高める方法であって、前記フレキソ印刷版が光重合性層を含む感光性印刷エレメントを有し、前記光重合性層が支持体上に、少なくとも１種のエラストマーバインダと、少なくとも１種のモノマーと、活性輻射線に感受性を有する開始剤とを含む光重合性組成物を有し、前記光重合性組成物に少なくとも１種の光退色性化合物を加えることを含むことを特徴とする方法。
【手続補正２】
【補正対象書類名】明細書
【補正対象項目名】０１０５
【補正方法】変更
【補正の内容】
【０１０５】
【発明の効果】
以上説明したように、本発明によれば、露光時の散乱光の悪影響を減少し、露光感光度を高める感光性印刷エレメントおよびフレキソ印刷版を提供することが可能となり、これらを用いて印刷を行うことにより高品質の画像が得られるようになる。
本発明は以下の実施の態様を含むものである。
１． 光重合性組成物であって、少なくとも１種のエラストマーバインダと、少なくとも１種のモノマーと、活性輻射線に感受性を有する開始剤と、活性輻射線に感受性を有する少なくとも１種の光退色性化合物とを含むことを特徴とする光重合性組成物。
２． 前記光退色性化合物が熱的に安定であることを特徴とする前記１．に記載の光重合性組成物。
３． 前記光退色性化合物が、非置換または置換ナフチルビニルピリジン、非置換または置換スチリルキノリン、無水ジフェニルマレイン酸、これら化合物の異性体、これら化合物の誘導体、およびこれら化合物の組合せからなる群から選択されることを特徴とする前記２．に記載の光重合性組成物。
４． 前記光重合性組成物中の前記光退色性化合物の量が、約０．００１重量％から約１０重量％の範囲であることを特徴とする前記１．に記載の光重合性組成物。
５． 前記光退色性化合物の量が、約０．０１重量％から約５重量％の範囲であることを特徴とする前記４．に記載の光重合性組成物。
６．前記光退色性化合物の量が、約０．０２重量％から約２重量％の範囲であることを特徴とする前記５．に記載の光重合性組成物。
７． 前記エラストマーバインダが、スチレン−ブタジエン−スチレンブロックコポリマー、またはスチレン−イソプレン−スチレンブロックコポリマーであることを特徴とする前記１．に記載の光重合性組成物。
８．フレキソ印刷版の製造に用いる感光性印刷エレメントであって、支持体と、前記１．に記載の光重合性組成物を含む光重合性層とを含むことを特徴とする感受性印刷エレメント。
９． 前記光退色性化合物が熱的に安定であることを特徴とする前記８．に記載の感光性印刷エレメント。
１０． 前記光退色性化合物が、非置換または置換ナフチルビニルピリジン、非置換または置換スチリルキノリン、無水ジフェニルマレイン酸、これら化合物の異性体、これら化合物の誘導体、およびこれら化合物の組合せからなる群から選択されることを特徴とする前記９．に記載の感光性印刷エレメント。
１１． 前記光重合性層中の前記光退色性化合物の量が、約０．００１重量％から約１０重量％の範囲であることを特徴とする前記８．に記載の感光性印刷エレメント。
１２． 前記光退色性化合物の量が、約０．０１重量％から約５重量％の範囲であることを特徴とする前記１１．に記載の感光性印刷エレメント。
１３． 前記光退色性化合物の量が、約０．０２重量％から約２重量％の範囲であることを特徴とする前記１２．に記載の感光性印刷エレメント。
１４．前記光重合性層が単層構造からなることを特徴とする前記８．に記載の感光性印刷エレメント。
１５．前記光重合性層が２層または多層構造からなることを特徴とする前記８．に記載の感光性印刷エレメント。
１６． 前記光重合性層の少なくとも１つの層が前記光退色性化合物を含むことを特徴とする前記１５．に記載の感光性印刷エレメント。
１７．少なくとも２つの層が前記光退色性化合物を含み、前記２つの層のそれぞれが異なる重量パーセントの前記光退色性化合物を含むことを特徴とする前記１６．に記載の感光性印刷エレメント。
１８． 前記光退色性化合物がポリマーまたはオリゴマーに共有結合していることを特徴とする前記１５．に記載の感光性印刷エレメント。
１９． 前記ポリマーまたは前記オリゴマーが、ポリビニルアルコール、ポリ（メチルメタクリレート）、ポリ（エチルメタクリレート）、ポリスチレン、ポリアミド、ポリエステル、ポリイソシアナトエチルメチルメタクリレート、イソシアナトエチルメチルメタクリレートおよびメチルメタクリレートのコポリマー、およびイソシアナトエチルメチルメタクリレートおよびジメチルアミノエチルメタクリレートのコポリマーからなる群から選択されることを特徴とする前記１８．に記載の感光性印刷エレメント。
２０． バリア層、赤外線感受性層、およびそれらの組合せからなる群から選択される少なくとも１つの追加層をさらに有することを特徴とする前記８．に記載の感光性印刷エレメント。
２１． 前記少なくとも１つの追加層が赤外線感受性層であり、該赤外線感受性層中のバインダが、前記光重合性層中の少なくとも１つの移行性材料と不相溶性であることを特徴とする前記２０．に記載の感光性印刷エレメント。
２２． 少なくとも１つの追加層が赤外線感受性層およびバリア層であり、該バリア層を前記光重合性層と前記赤外線感受性層との間に配置することを特徴とする前記２０．に記載の感光性印刷エレメント。
２３． 光重合性層の厚さが、約０．００５インチから約０．２５０インチの範囲であることを特徴とする前記８．に記載の感光性印刷エレメント。
２４． 光重合性層の厚さが、約０．０１０から約０．０６７インチの範囲であることを特徴とする前記２３．に記載の感光性印刷エレメント。
２５． 開始剤が光退色性であることを特徴とする前記８．に記載の感光性印刷エレメント。
２６． 感光性印刷エレメントの製造方法であって、少なくとも１種のエラストマーバインダと、少なくとも１種のモノマーと、活性輻射線に感受性を有する開始剤と、活性輻射線に感受性を有する少なくとも１種の光退色性化合物とを含む光重合性組成物を支持体に塗布して、支持体上に光重合性層を形成する工程を有することを特徴とする方法。
２７． 前記光退色性化合物が、非置換または置換ナフチルビニルピリジン、非置換または置換スチリルキノリン、無水ジフェニルマレイン酸、これら化合物の異性体、これら化合物の誘導体、およびこれら化合物の組合せからなる群から選択されることを特徴とする前記２６．に記載の方法。
２８．前記光重合性層の表面に赤外線感受性層と、少なくとも１種のバリア層、または赤外線感受性層および少なくとも１種のバリア層とを塗布する工程を有することを特徴とする前記２６．に記載の方法。
２９．フレキソ印刷版の製造方法であって、（ａ）前記８．に記載の感光性印刷エレメントを活性輻射線にイメージ状に露光させて、その層の一部分を選択的に重合させる工程と、（ｂ）工程（ａ）で得たエレメントを処理してその層の未重合部分を除去し、フレキソ印刷版を作成する工程と有することを特徴とする方法。
３０． フレキソ印刷版から作成される画像の解像度を高める方法であって、前記フレキソ印刷版が光重合性層を含む感光性印刷エレメントを有し、前記光重合性層が支持体上に、少なくとも１種のエラストマーバインダと、少なくとも１種のモノマーと、活性輻射線に感受性を有する開始剤とを含む光重合性組成物を有し、前記光重合性組成物に少なくとも１種の光退色性化合物を加えることを含むことを特徴とする方法。
３１． 前記光退色性化合物が、非置換または置換ナフチルビニルピリジン、非置換または置換スチリルキノリン、無水ジフェニルマレイン酸、これら化合物の異性体、これら化合物の誘導体、およびこれら化合物の組合せからなる群から選択されることを特徴とする前記３０．に記載の方法。